(57)【特許請求の範囲】
【請求項１】
ヘッドマウントディスプレイであって、
ヘッドマウントディスプレイの背面部分に向かって開口する後端部、およびディスプレイパネルアセンブリを取り付けるように構成された前端部を有するディスプレイ保護シェルと、
金属フレームと
を具備し、前記金属フレームは、
ヘッドマウントディスプレイのフロントカバーに対面している前面、
前記前面とは反対側の背面であり、前記ディスプレイパネルアセンブリが、前記ディスプレイ保護シェルの前記前端部と背面との間に配置される、背面、および
前記背面から突起した壁であり、前記ディスプレイ保護シェルを保護するために、前記ディスプレイ保護シェルの少なくとも縁部から離隔配置され、前記ディスプレイ保護シェルの少なくとも前記縁部に沿って延在する壁
を備え、前記壁は、
前記ディスプレイ保護シェルの前記縁部に沿って延在する第１の区間、
前記第１の区間と、角度αで交わる第２の区間、および
前記ディスプレイ保護シェルの隅部を受け入れるポケットを形成するように角度付けされ連接された第３の区間を有する、
ヘッドマウントディスプレイ。
【請求項２】
前記壁が、前記ディスプレイ保護シェルの少なくとも１つの隅部から別の隅部の間で、前記ディスプレイ保護シェルから離隔配置され、延在する、請求項１に記載のヘッドマウントディスプレイ。
【請求項３】
前記ディスプレイ保護シェルの少なくとも１つの隅部が、斜め方向に切り取られており、
任意選択で、前記ディスプレイ保護シェルの少なくとも１つの隅部が、直交する縁部を有する、
請求項１または２に記載のヘッドマウントディスプレイ。
【請求項４】
前記金属フレームの隅部の切取部分に取り付けられたブラケットをさらに備え、前記ブラケットが、カメラの少なくとも一部分を囲うように構成される、請求項１から３のいずれか一項に記載のヘッドマウントディスプレイ。
【請求項５】
前記金属フレームの前記切取部分が、前記ブラケットの底部外形に整合する上部外形を持つフラップを有し、
任意選択で、前記ブラケットが、中心に円形穴を有し、前記円形穴を通して前記カメラが光景を捕捉し、ならびに／あるいは
任意選択で、前記金属フレームの縁部に取り付けられた別のブラケットをさらに備え、前記別のブラケットが、別のカメラの少なくとも一部分を囲うように構成され、および／または任意選択で、前記金属フレームが、前記縁部に半円形の壁を、該半円形の壁と前記別のブラケットとの間に前記別のカメラを収容するために備える、
請求項４に記載のヘッドマウントディスプレイ。
【請求項６】
前記金属フレームが、冷却ファンを収容する開口を有する、請求項１から５のいずれか一項に記載のヘッドマウントディスプレイ。
【請求項７】
前記金属フレームが、マグネシウムから製作される、請求項１から６のいずれか一項に記載のヘッドマウントディスプレイ。
【請求項８】
前記ディスプレイ保護シェルが、錐台形状を有する、請求項１から７のいずれか一項に記載のヘッドマウントディスプレイ。
【請求項９】
ヘッドマウントディスプレイの金属フレームであって、
前記ヘッドマウントディスプレイのフロントカバーに対面している前面と、
前記前面とは反対側の背面であり、ディスプレイパネルアセンブリが、ディスプレイ保護シェルの前端部と背面との間に配置される、背面と、
前記背面から突起した壁であり、前記ディスプレイ保護シェルを保護するために、前記ディスプレイ保護シェルの少なくとも縁部から離隔配置され、前記ディスプレイ保護シェルの少なくとも前記縁部に沿って延在するように構成された壁であって、
前記ディスプレイ保護シェルの前記縁部に沿って延在する第１の区間、
前記第１の区間と、角度αで交わる第２の区間、および
前記ディスプレイ保護シェルの隅部を受け入れるポケットを形成するように角度付けされ連接された第３の区間を有する、壁
を備える金属フレーム。
【請求項１０】
前記壁が、前記ディスプレイ保護シェルの少なくとも１つの隅部から別の隅部の間で、前記ディスプレイ保護シェルから離隔配置され、延在する、請求項９に記載の金属フレーム。
【請求項１１】
前記ディスプレイ保護シェルの少なくとも１つの隅部が、斜め方向に切り取られている、請求項９または１０に記載の金属フレーム。
【請求項１２】
前記ディスプレイ保護シェルの少なくとも１つの隅部が、直交する縁部を有する、請求項９から１１のいずれか一項に記載の金属フレーム。
【請求項１３】
カメラを保護するブラケットの底部外形に整合する上部外形を有するフラップをさらに備え、
任意選択で、縁部に半円形の壁を、該半円形の壁と別のブラケットとの間に別のカメラを収容するためにさらに備える、請求項９から１２のいずれか一項に記載の金属フレーム。
【請求項１４】
冷却ファンを収容する開口を有する、請求項９から１３のいずれか一項に記載の金属フレーム。
【請求項１５】
マグネシウムから製作される、請求項９から１４のいずれか一項に記載の金属フレーム。
【発明の詳細な説明】
【技術分野】
【０００１】
本開示は、ヘッドマウントディスプレイ（「ＨＭＤ」）に関し、具体的には、ＨＭＤの金属フレームに関する。
【背景技術】
【０００２】
ヘッドマウントディスプレイ（ＨＭＤ）は、拡張および／または仮想情報をユーザに提示するために使用することができる。たとえば、仮想現実（ＶＲ）ヘッドセットは、仮想環境をシミュレートするのに使用することができる。ＨＭＤは、様々な分野で使用されており、それらの一部には、ゲーム、工学技術、医療、航空が含まれる。これらの働きをするために、ＨＭＤは、様々な内部構成要素、ならびに、カメラや慣性測定装置などのセンサを含み得る。そのような内部構成要素およびセンサは、落とされたり外部衝撃を受けたりすると損傷し易いことがある。
【発明の概要】
【０００３】
諸実施形態は、ヘッドマウントディスプレイ（「ＨＭＤ」）に関し、具体的には、ＨＭＤの構成要素を衝撃から保護するための金属フレームに関する。金属フレームは、ＨＭＤのフロントカバーに対面する前面と、ディスプレイアセンブリに対面する背面とを有する。金属フレームの背面は、ディスプレイアセンブリを保護するために、ディスプレイアセンブリの縁部に沿って離隔配置され延在する突起壁を有する。ＨＭＤが落とされ、または外力を受けたとき、壁は、変形し得るが、ディスプレイアセンブリに影響を与えさせない。
【０００４】
本発明による諸実施形態は、ヘッドマウントディスプレイおよび金属フレームを対象にした添付特許請求の範囲に詳細に開示され、１つのクレイムカテゴリ、たとえばシステムにおいて言及されたあらゆる特徴は、別のクレイムカテゴリ、たとえば方法、記憶媒体、コンピュータプログラム製品においても、同様に特許請求され得る。添付特許請求の範囲における従属性または遡及引用は、単に形式的理由のために選択される。しかしながら、あらゆる先行クレイム（特に多重従属性）への遡及引用を熟慮することによって生じるいかなる主題もまた特許請求され得、その結果、添付特許請求の範囲において選択された従属性に拘わらず、クレイムおよびその特徴のいかなる組合せも開示されており、特許請求され得る。特許請求することができる主題は、添付特許請求の範囲において言及された特徴の組合せのみならず、特許請求の範囲における特徴のいかなる他の組合せも含み、特許請求の範囲において言及された各特徴は、特許請求の範囲におけるいかなる他の特徴または他の特徴の組合せとも組み合わせることができる。さらに、本明細書に説明され示された実施形態および特徴のいずれもが、別々のクレイムで特許請求され得、かつ／あるいは本明細書に説明され示されたいずれの実施形態もしくは特徴または添付特許請求の範囲のいずれの特徴といかように組み合わせても特許請求され得る。
【０００５】
本発明による実施形態では、ヘッドマウントディスプレイは、
ヘッドマウントディスプレイの背面部分に向かって開口する後端部、およびディスプレイパネルアセンブリを取り付けるように構成された前端部を有するディスプレイ保護シェルと、
ヘッドマウントディスプレイのフロントカバーに対面している前面、
前面とは反対側の背面であり、ディスプレイパネルアセンブリが、ディスプレイ保護シェルの前端部と背面との間に配置される、背面、および
背面から突起した壁であり、ディスプレイ保護シェルを保護するために、ディスプレイ保護シェルの少なくとも縁部から離隔配置され、ディスプレイ保護シェルの少なくとも縁部に沿って延在する壁
を備える金属フレームと
を具備し得る。
【０００６】
壁は、ディスプレイ保護シェルの少なくとも１つの隅部から別の隅部の間で、ディスプレイ保護シェルから離隔配置され、延在することができる。
【０００７】
ディスプレイ保護シェルの少なくとも１つの隅部が、斜め方向に切り取られ、壁が、ディスプレイ保護シェルの縁部に沿って真直ぐに延在する第１の区間を備え得、第２の区間が第１の区間に連結され得、第２の区間が、第１の区間に対してある角度で湾曲し得る。
【０００８】
ディスプレイ保護シェルの少なくとも１つの隅部が、直交する縁部を有し得、壁が、ディスプレイ保護シェルの隅部を受け入れるポケットを形成するように角度付けされ連接された第３の区間を有し得る。
【０００９】
本発明による実施形態では、ヘッドマウントディスプレイが、金属フレームの隅部の切取部分に取り付けられたブラケットを備え得、ブラケットが、カメラの少なくとも一部分を囲うように構成され得る。
【００１０】
金属フレームの切取部分が、ブラケットの底部外形に整合する上部外形を持つフラップを有し得る。
【００１１】
ブラケットは、中心に円形穴を有し得、その円形穴を通してカメラが光景を捕捉する。
【００１２】
本発明による実施形態では、ヘッドマウントディスプレイが、金属フレームの縁部に取り付けられた別のブラケットを備え得、その別のブラケットが、別のカメラの少なくとも一部分を囲うように構成され得る。
【００１３】
金属フレームは、半円形の壁と上記別のブラケットとの間に上記別のカメラを収容するために、上記縁部に半円形の壁を備えることができる。
【００１４】
金属フレームは、冷却ファンを収容する開口を有し得る。
【００１５】
金属フレームは、マグネシウムから製作され得る。
【００１６】
ディスプレイ保護シェルは、錐台形状を有し得る。
【００１７】
本発明による実施形態では、ヘッドマウントディスプレイの金属フレームが、
ヘッドマウントディスプレイのフロントカバーに対面している前面と、
前面とは反対側の背面であり、ディスプレイパネルアセンブリが、ディスプレイ保護シェルの前端部と背面との間に配置される、背面と、
背面から突起した壁であり、ディスプレイ保護シェルを保護するために、ディスプレイ保護シェルの少なくとも縁部から離隔配置され、ディスプレイ保護シェルの少なくとも縁部に沿って延在するように構成された壁と
を備え得る。
【００１８】
壁は、ディスプレイ保護シェルの少なくとも１つの隅部から別の隅部の間で、ディスプレイ保護シェルから離隔配置され、延在する。
【００１９】
ディスプレイ保護シェルの少なくとも１つの隅部が、斜め方向に切り取られ得、壁が、ディスプレイ保護シェルの側方縁部に沿って真直ぐに延在する第１の区間を備え得、第２の区間が第１の区間に連結され得、第２の区間が、第１の区間に対してある角度で湾曲し得る。
【００２０】
ディスプレイ保護シェルの少なくとも１つの隅部が、直交する縁部を有し得、壁が、ディスプレイ保護シェルの上記少なくとも１つの隅部を受け入れるポケットを形成するように連接する角度付けされた区間を有し得る。
【００２１】
金属フレームは、カメラを保護するブラケットの底部外形に整合する上部外形を有するフラップを備え得る。
【００２２】
金属フレームは、半円形の壁と別のブラケットとの間に別のカメラを収容するために、縁部に半円形の壁を備えることができる。
【００２３】
金属フレームは、冷却ファンを収容する開口を有し得る。
【００２４】
金属フレームは、マグネシウムから製作され得る。
【図面の簡単な説明】
【００２５】
【図１】一実施形態によるヘッドマウントディスプレイ（ＨＭＤ）の透視図である。
【図２】一実施形態による、フロントカバーを取り除いた図１のＨＭＤの透視図である。
【図３】一実施形態による、図１のＨＭＤの金属フレームおよびディスプレイ保護シェルの背面透視図である。
【図４】一実施形態による、ＨＭＤの金属フレームおよびディスプレイアセンブリの背面上側隅部の拡大図である。
【図５】一実施形態による、ＨＭＤの金属フレームおよびディスプレイアセンブリの背面下側隅部の拡大図である。
【図６】一実施形態による、ＨＭＤの金属フレームの分解組立透視図である。
【図７】一実施形態による、ＨＭＤの金属フレームの背面図である。
【図８】一実施形態による、カメラを保護するためのブラケットの透視概略図である。
【発明を実施するための形態】
【００２６】
実施形態の以下の説明では、より完全な理解を可能にするために多数の特定な細部が言及される。しかし、それら実施形態は、１つまたは複数のこれら特定の細部なしに実施することができることに留意されたい。別の場合には、よく知られた特徴は、説明を不必要に複雑にするのを避けるために、詳細には説明されていない。
【００２７】
本明細書では、実施形態が、図面を参照して説明され、それら図面では、同じ参照番号は同一または機能上同様な要素を示す。また、図面において、各参照番号の最も左の数字は、その参照番号が最初に使用されている図面に対応する。
【００２８】
諸実施形態は、衝撃を吸収しヘッドマウントディスプレイ（ＨＭＤ）の構成要素を保護するような構造になっている、ＨＭＤの金属フレームに関する。金属フレームは、ＨＭＤ内にディスプレイパネルを固定する保護シェルから離隔配置された壁を有する。ＨＭＤが落とされ、または外力を受けたとき、壁は、変形し得るが、保護シェルに影響を与えさせない。さらに、金属フレームは、ＨＭＤ上の外方に面したカメラを取り囲む突出隆起部およびブラケットを有する。ＨＭＤが落とされた場合、突出隆起部およびブラケットは、カメラに対して保護を行うことができる。
【００２９】
図１は、一実施形態によるＨＭＤ１００の透視図である。ＨＭＤ１００は、他の構成要素の中でも、カメラ１０１、フロントカバー１０３、ヘッドストラップコネクタ１０５、サイドカバー１０７、およびヘッドストラップアセンブリを備え得る。ヘッドストラップアセンブリは、リアストラップ１０９、およびリアストラップ１０９に連結されたアッパストラップ１１１を備え得る。フロントカバー１０３は、サイドカバー１０７の前側に取り付けられる。ヘッドストラップ１０９は、ヘッドストラップコネクタ１０５を介してサイドカバー１０７に取り付けられる。アッパストラップ１１１は、ヘッドストラップ１０９に取り付けられ、サイドボディーに形成されたスロットにアッパストラップ１１１の端部を挿入することによって固定される。フロントカバー１０３は、サイドカバー１０７の前側を覆う。図１に示されたＨＭＤ１００の構成要素および構造は単なる例示である。
【００３０】
フロントカバー１０３は、ＨＭＤ１００の構成要素を保護するために、ＨＭＤ１００の前方部分に配置された剛性部材である。一実施形態では、フロントカバー１０３は、保守整備目的のためにサイドカバー１０７からフロントカバー１０３を取り外すことを可能にするスクリューまたは他の固定機構を介して、サイドカバー１０７に固定される。フロントカバーは、上側２つの隅部および下側２つの縁部に２つのカメラ１０１を有する。これらカメラ１０１は、ＨＭＤ１００の外側の光景を捕捉し、それをユーザに表示するのに使用することができる。
【００３１】
ヘッドストラップ１０９およびアッパストラップ１１１は、ユーザの頭を包み込んでＨＭＤ１００をユーザの顔に固定する。ヘッドストラップ１０９およびアッパストラップ１１１は、ユーザにとって柔軟でなおかつ心地よいように弾性材、布地、またはそれらを組み合わせて製作され得る。ヘッドストラップ１０９は、サイドカバー１０７に対して回転することができるヘッドストラップコネクタ１０５によって、ＨＭＤ１００のサイドカバー１０７に連結される。さらに、ヘッドストラップコネクタ１０５は、サイドカバー１０７から分離することができ、ユーザがヘッドストラップ１０９を交換し、または保守整備技師がサイドカバー１０７により容易にアクセスすることを可能にする。アッパストラップ１１１は、付加的支持を行い、ヘッドストラップ１０９とサイドカバー１０７の上面とに連結される。
【００３２】
図２は、一実施形態による、フロントカバー１０３、ヘッドストラップ１０９、およびアッパストラップ１１１が取り除かれたＨＭＤ１００の透視図である。フロントカバー１０３の後ろでは、ファン２０１、プリント回路基板（ＰＣＢ）２０７、および熱パイプ２１３が、金属フレーム３０９の前面２０３に装着される。ＨＭＤ１００は、また、ＰＣＢブラケット２０５、下側ブラケット２０９、および上側ブラケット２１１を備える。ＰＣＢブラケット２０５は、ＰＣＢ２０７に装着され、熱パイプ２１３の端部が、ＰＣＢブラケット２０５とＰＣＢ２０７との間に配置される。下側ブラケット２０９および上側ブラケット２１１は、上側の２つのカメラおよび金属フレーム３０９の下側の２つの縁部に装着される。ファン２０１、熱パイプ２１３、およびＰＣＢ２０７は、スクリューまたは接着剤によって金属フレーム３０９に装着することができる。
【００３３】
ファン２０１および熱パイプ２１３は、ＰＣＢ２０７が発生する熱を放散する。ファン２０１は、また、ユーザの顔が位置するＨＭＤ１００の裏側から空気を引き込み、それによって、空気を循環させることによりユーザの顔を冷やす。ファン２０１は、金属フレーム３０９に形成された穴に収容される。
【００３４】
ＰＣＢブラケット２０５は、スクリューによってＰＣＢ２０７に連結され、熱パイプが、熱膨張、ＨＭＤ１００の動き、または外力の負荷によってＰＣＢ２０７から分離するのを防止する。ＰＣＢブラケット２０５は、また、熱パイプ２１３の端部をＰＣＢ２０７に装着されたプロセッサ（図示せず）に押付け、それによって、プロセッサが発生する熱を効果的に伝達することができる。
【００３５】
下側ブラケット２０９および上側ブラケット２１１は、カメラ１０１の少なくとも一部分を取り巻き、カメラ１０１を外部衝撃から保護する。このために、カメラ１０１は、ブラケット２０９、２１１の凹面形の先端面に配置される。このようにして、あらゆる外部衝撃が、カメラ１０１の代わりにブラケット２０９、２１１に加わることになると考えられる。ブラケット２０９、２１１は、カメラ１０１へのアクセスを容易にするために取り外すことができるスクリューによって、前面２０３に固定することができる。
【００３６】
熱パイプ２１３は、ＰＣＢ２０７のプロセッサに連結された端部を有し、一方、他の部分は、金属フレーム３０９の前面２０３に連結される。熱パイプ２１３は、熱を吸収し放散するためのヒートシンクとして機能する金属フレーム３０９へ熱を伝達する。
【００３７】
図３は、一実施形態による、ＨＭＤ１００の金属フレーム３０９および２つのディスプレイ保護シェル３０１の後視透視図である。金属フレーム３０９の背面３０７は、図２に見られる前面２０３とは反対側である。各ディスプレイ保護シェル３０１は、金属フレーム３０９の背面３０７に装着され、ディスプレイ保護シェル３０１と背面３０７との間にディスプレイパネルアセンブリ３１１がある。
【００３８】
各ディスプレイ保護シェル３０１は、前端部３０５および後端部３０３を備える。ディスプレイ保護シェル３０１は、また、ディスプレイパネルアセンブリ３１１からユーザの眼に光を導くための光学要素（図示せず）を囲う。光学要素を囲い、光をユーザの眼に導くために、ディスプレイ保護シェル３０１のそれぞれは、錐台形状を有し得る。
【００３９】
金属フレーム３０９は、ＨＭＤ１００に対して構造上の支持を行う。ＨＭＤ１００が外部衝撃（たとえば、ＨＭＤ１００の落下）を受けたとき、金属フレーム３０９は、サイドカバー１０７が潰れることを防止する内部支持体として機能する。金属フレーム３０９は、また、図４および５を参照して以下に詳細に説明するように、ディスプレイパネルアセンブリ３１１およびディスプレイ保護シェルを保護するために壁およびポケットを備える。金属フレーム３０９は、また、ファン２０１およびＰＣＢ２０７など、ＨＭＤ１００の他の構成要素を装着することができるプラットフォームとして働く。金属フレームは、ほぼ真直ぐな上側および下側縁部を有し得、他方、左右の縁部は、ほぼ半円形である。金属フレーム３０９は、また、図２を参照して上記で説明したように、ＰＣＢ２０７が発生する熱を放散するヒートシンクとして機能する。
【００４０】
ディスプレイパネルアセンブリ３１１は、画像をユーザに表示する。これら画像は、カメラ１０１によって捕捉された周囲環境の画像を含めることができる。これら画像は、また、周囲環境と相互連係するために表示される拡張対象を含めることができる。
【００４１】
図４は、一実施形態による、ＨＭＤ１００の金属フレーム３０９およびディスプレイ保護シェル３０１の背面上側隅部の拡大図である。背面３０７は、後方に突出し、ディスプレイ保護シェル３０１の縁部４０３と平行に延在する壁４０１を有する。金属フレーム３０９の上側隅部４１１は、斜めに切り取られ、上側ブラケット２１１を装着するためのフラップ４０５を備える。
【００４２】
壁４０１は、ディスプレイ保護シェル３０１の縁部４０３から離隔配置される。金属フレーム３０９に壁４０１を設けることは、他の理由の中でも、壁が、衝撃および外力を吸収し、金属フレーム３０９の剛性を増加させるので、有利である。外力がＨＭＤ１００に加わった場合（ユーザがＨＭＤを地面に落とすなど）、金属フレーム３０９の壁４０１とディスプレイ保護シェル３０１の縁部４０３との間の間隔によって、金属フレーム３０９が、ディスプレイ保護シェル３０１またはディスプレイパネルアセンブリ３１１を損傷することなく変形又は曲がることにより外力または衝撃を吸収することが可能になる。壁４０１は、また、壁４０１の存在によって金属フレーム３０９の面積モーメントが増加するので、軸Ａ１周りの曲げに対する金属フレーム３０９の剛性を増加させる。
【００４３】
壁４０１は、第１の区間４０７と、角度αで交わる第２の区間４０９とを備える。金属フレーム３０９は、上側隅部４１１に切取部分を有し、このため、壁４０１は、その切取部分に対応して上側隅部で内方へ曲げられる。一実施形態では、第２の区間４０９は、隅部４１１での金属フレーム３０９の切取り面にほぼ平行に延在する。第１の区間４０７と第２の区間４０９とがある角度αで合わさることによって、金属フレーム３０９が、斜め方向に切り取られカメラ１０１を格納するフラップ４０５を上側隅部４１１に備えることが可能になる。たとえば、上側ブラケット２１１を介してＨＭＤ１００の上側隅部に衝撃が加えられたとき、第２の区間４０９が、変形または曲がることによって衝撃を吸収する。切取部分は、上側ブラケット２１１を金属フレーム３０９に固定するスクリューを受け入れる穴（図示せず）を備え得る。
【００４４】
一実施形態では、壁４０１は、金属フレーム３０９の他の部分と一体に形成される。別の実施形態では、壁４０１は、金属フレーム３０９の他の部分とは別に形成し、接着剤または他の固定手段によって金属フレームに取り付けることができる。
【００４５】
図５は、一実施形態による、ＨＭＤ１００の金属フレーム３０９およびディスプレイ保護シェル３０１の背面下側隅部の拡大図である。図５に示すように、第１の区間４０７および第２の区間４０９に加えて、壁４０１は、ディスプレイ保護シェル３０１の隅部５０５および／またはディスプレイパネルアセンブリ３１１の隅部を受け入れるポケット５０１を形成する第３の区間５０３をさらに備え得る。
【００４６】
壁４０１の第３の区間５０３によって形成されるポケット５０１は、ＨＭＤ１００への外力または衝撃に対して金属フレームを変形または曲げることによって、ディスプレイ保護シェル３０１および／またはディスプレイパネルアセンブリ３１１を損傷または変位させることなくさらに保護することを可能にする。
【００４７】
図６は、一実施形態によるＨＭＤ１００の金属フレーム３０９の分解組立透視図である。図６で分かるように、金属フレーム３０９は、他の特徴の中でも、開口６０１、斜め切取部分６０３、上側縁部６０７、下側縁部６０９、ボス６２２、および半円形側壁６１３、６１５を備え得る。半円形壁６１０、６１１が、下側縁部６０９に設けられる。
【００４８】
金属フレーム３０９の開口６０１は、図２を参照して上記で説明したように、ファン２０１を収容するように寸法設定される。
【００４９】
既述のように、ブラケット２１１およびブラケット２０９は、カメラ１０１を固定するために金属フレーム３０９に取り付けられる。具体的には、ブラケット２１１は、ブラケット２１１の底部外形６０５に整合する上部外形を有するフラップ４０５を備える斜め切取部分６０３に取り付けられる。さらに、下側ブラケット２０９のそれぞれは、金属フレーム３０９の下側縁部６０９の半円形壁６１０、６１１に取り付けられる。
【００５０】
ボス６２２は、ＰＣＢ２０７などの構成要素を金属フレーム３０９に固定するスクリューを受け入れるために、金属フレーム３０９の前面に設けられる。
【００５１】
図７は、一実施形態によるＨＭＤ１００の金属フレーム３０９の背面図である。図７に示されるように、壁４０１は、ＨＭＤ１００の左側ならびに右側に設けられる。金属フレーム３０９は、また、軸Ａ２に対してほぼ対称形状を有する。
【００５２】
図８は、一実施形態による、カメラ１０１を保護するための上側ブラケット２１１の透視概略図である。上側ブラケット２１１は、他の特徴の中でも、円形穴８０１を伴って形成されるワッシャプレート８０３と、スクリュー穴８０５とを備え得る。
【００５３】
カメラ１０１は、円形穴８０１内に格納され、ブラケットのワッシャプレート８０３によって拘束される。ワッシャプレート８０３は、フラップ４０５を含めて切取部分の上側形状に整合する形状を有する。スクリュー穴８０５は、ブラケット２１１を金属フレーム３０９に固定するスクリューを通らせる。
【００５４】
下側ブラケット２０９は、上側ブラケット２１１と同様な構造を有し、その詳細な説明は、簡潔化のために本明細書では省略する。
【００５５】
本開示の実施形態の前述の説明は、例示を目的として示されており、網羅的であること、または本開示を開示された形態そのものに限定することを意図するものではない。当業者は、多くの修正形態および変形形態が上記の開示に照らして可能であることを理解することができる。
【図１】
0006942200.tif 000002
【図２】
0006942200.tif 000003
【図３】
0006942200.tif 000004
【図４】
0006942200.tif 000005
【図５】
0006942200.tif 000006
【図６】
0006942200.tif 000007
【図７】
0006942200.tif 000008
【図８】
0006942200.tif 000009